(57)【要約】【課題】撮影装置を用いて実効ある監視が行えるターミナル装置を提供する。【解決手段】クレードル装置２０のＤＣ電源入力コネクタ３１にＡＣ電源アダプタ３０を接続し、プラグを部屋内のＡＣコンセントに差す。モード切替スイッチ２５を監視カメラモードにセットしてデジタルカメラ１０を装着部２２に装着すると、接続コネクタ２６が接続端子２４に接続され、モード切替スイッチ２５はカメラボディに隠れる。侵入者が赤外線センサ２８の検知領域内に入ると、赤外線センサ２８からの検知信号によりデジタルカメラ１０の電源がオンにされ、モード切替スイッチ２５からの信号によりデジタルカメラ１０が監視カメラモードにセットされる。撮影レンズ１２が広角にセットされ、ゲイン切替アンプ４７のゲインがＳ／Ｎ比を無視して最高レベルに引き上げられる。３秒間隔で１０コマのインターバル撮影が行われ、画像データはメモリカード１７に記憶される。【選択図】        図２
2005328189.tif 000002
【特許請求の範囲】
【請求項１】
撮影装置の接続用コネクタと電気的に接続される接続端子を備えたターミナル装置において、
侵入者を検知した際にその検知信号を接続用コネクタ及び接続端子を介して撮影装置に送り、前記撮影装置の電源をオンにする検知器と、前記撮影装置の電源がオンにされた後、前記接続用コネクタ及び接続端子を介して撮影装置を一定間隔で撮影を行う監視カメラモードに設定するモード切替スイッチとを設けたことを特徴とするターミナル装置。
【請求項２】
前記接続端子は、前記撮影装置が装着される上方部に形成された凹形状の装着部に設けられ、前記撮影装置を装着部に装着した際に、前記撮影装置の接続用コネクタが接続されることを特徴とする請求項１記載のターミナル装置。
【請求項３】
前記モード切替スイッチは、前記装着部を構成する壁面の一部に設けられ、前記撮影装置を装着部に装着した際に、前記撮影装置によって隠れることを特徴とする請求項１または２記載のターミナル装置。
【請求項４】
撮影装置の接続用コネクタと電気的に接続される接続端子を備えたターミナル装置において、
ＡＣコンセントに差し込むＡＣプラグと、
このＡＣプラグに接続され、ＡＣプラグを介してＡＣコンセントからＡＣ電源を取り入れ、前記接続端子及び接続用コネクタを介して撮影装置に電源を供給する電源部と、
侵入者を検知した際にその検知信号を接続用コネクタ及び接続端子を介して撮影装置に送り、前記撮影装置の電源をオンにする検知器と、
前記撮影装置の電源がオンにされた後、前記接続用コネクタ及び接続端子を介して撮影装置を一定間隔で撮影を行う監視カメラモードに設定するモード切替スイッチと、
前記撮影装置から出力された画像データを接続用コネクタ及び接続端子を介して取り込み、ＡＣプラグ及びＡＣコンセントを介してＡＣラインに重畳して送信する画像データ送信部と、
からなることを特徴とするターミナル装置。
【請求項５】
前記検知器は、赤外線センサ又は音センサであることを特徴とする請求項１ないし４いずれか記載のターミナル装置。
【発明の詳細な説明】
【技術分野】
【０００１】
本発明は、撮影装置とパーソナルコンピュータ等とを接続してデータの遣り取りを行ったり、撮影装置とＡＣ電源アダプタとを接続して撮影装置に内蔵されたバッテリの充電を行うターミナル装置に関するものである。
【背景技術】
【０００２】
デジタルカメラやカメラ付き携帯電話等の撮影装置とパーソナルコンピュータ（ＰＣ）等とを接続して画像データを遣り取りしたり、前記撮影装置とＡＣ電源アダプタとを接続して撮影装置に内蔵されたバッテリの充電を行うターミナル装置が知られている。このターミナル装置としては、撮影装置を載せるように撮影装置の外形に合わせた形状の凹部を備え、クレードル・アッセンブリやドッキングステーションと呼称されるクレードル装置がある。また、ターミナル装置としては、クレードル装置の他にＵＳＢケーブル等も含む。
【０００３】
また、最近では、クレードル装置により、通常の撮影に使用している一般的なデジタルカメラをＰＣに接続して監視カメラとして使用することが考えられている（例えば特許文献１）。このクレードル装置にデジタルカメラを載せると、デジタルカメラの接続コネクタがクレードル装置の凹部に設けられた接続端子に接続される。クレードル装置にはＰＣがＵＳＢ接続されており、デジタルカメラが電気的にＰＣに接続される。ＰＣがクレードル装置を介してデジタルカメラを制御し、デジタルカメラに間欠撮影を行わせる。
【０００４】
【特許文献１】特開２００４−７２１９４号公報
【発明の開示】
【発明が解決しようとする課題】
【０００５】
ところで、近年は、一般家庭でも留守中の空き巣等の犯罪監視の他、ペット（犬等）の様子を確認したい、お年寄りの様子を確認したい等の要望があり、監視カメラに対する需要が増大している。しかしながら、上記のようなデジタルカメラとクレードル装置とＰＣとを用いた監視カメラシステムでは、一般家庭でも手軽に監視撮影を実行できる反面、侵入者から見れば、ＰＣが稼働中であったり、デジタルカメラの電源ランプが点灯していたり、また撮影が行われた瞬間にストロボが発光する等、監視されていることが明白に分かる。このため、デジタルカメラが壊されたり、デジタルカメラの向きを変えられる等、監視カメラとしては実効性の薄いものとなりかねなかった。
【０００６】
本発明は、通常の撮影に使用しているデジタルカメラ等の撮影装置を用いて実効ある監視が行えるターミナル装置を提供することを目的とする。
【課題を解決するための手段】
【０００７】
本発明のターミナル装置は、撮影装置の接続用コネクタと電気的に接続される接続端子を備えたターミナル装置において、侵入者を検知した際にその検知信号を接続用コネクタ及び接続端子を介して撮影装置に送り、前記撮影装置の電源をオンにする検知器と、前記撮影装置の電源がオンにされた後、前記接続用コネクタ及び接続端子を介して撮影装置を一定間隔で撮影を行う監視カメラモードに設定するモード切替スイッチとを設けたことを特徴とする。
【０００８】
また、前記接続端子は、前記撮影装置が装着される上方部に形成された凹形状の装着部に設けられ、前記撮影装置を装着部に装着した際に、前記撮影装置の接続用コネクタが接続されることを特徴とする。また、前記モード切替スイッチは、前記装着部を構成する壁面の一部に設けられ、前記撮影装置を装着部に装着した際に、前記撮影装置によって隠れることを特徴とする。
【０００９】
また、撮影装置の接続用コネクタと電気的に接続される接続端子を備えたターミナル装置において、ＡＣコンセントに差し込むＡＣプラグと、このＡＣプラグに接続され、ＡＣプラグを介してＡＣコンセントからＡＣ電源を取り入れ、前記接続端子及び接続用コネクタを介して撮影装置に電源を供給する電源部と、侵入者を検知した際にその検知信号を接続用コネクタ及び接続端子を介して撮影装置に送り、前記撮影装置の電源をオンにする検知器と、前記撮影装置の電源がオンにされた後、前記接続用コネクタ及び接続端子を介して撮影装置を一定間隔で撮影を行う監視カメラモードに設定するモード切替スイッチと、前記撮影装置から出力された画像データを接続用コネクタ及び接続端子を介して取り込み、ＡＣプラグ及びＡＣコンセントを介してＡＣラインに重畳して送信する画像データ送信部とからなることを特徴とする。
【００１０】
また、前記検知器は、赤外線センサ又は音センサであることを特徴とする。
【発明の効果】
【００１１】
本発明のターミナル装置によれば、検知器が侵入者を検知することにより撮影装置の電源をオンにした後、モード切替スイッチが撮影装置を監視カメラモードに設定し、撮影装置が一定間隔で撮影を行うので、ＰＣとの接続の有無にかかわらず、通常の撮影に使用しているデジタルカメラ等の撮影装置を用いて監視を行うことができる。この結果、目立つＰＣを必ずしも使う必要がないので、侵入者から監視撮影されていることを気づかれるおそれが少なく、実効ある監視を行うことができる。
【００１２】
また、撮影装置を凹形状の装着部に装着すると、装着部に設けられた接続端子が撮影装置の接続用コネクタに接続されるので、撮影装置とターミナル装置とのセットアップが簡単にできる。また、モード切替スイッチは、撮影装置を装着部に装着した際に撮影装置によって隠れるから、侵入者から監視撮影されていることを気づかれるおそれが少ない。
【００１３】
また、撮影装置から出力された画像データをＡＣラインに重畳して送信すれば、撮影装置の内蔵メモリやメモリカードよりも大容量のストレージに画像データを記憶したい場合にも、そのストレージやＰＣを撮影装置の近くや同じ室内に設置する必要がなく、侵入者から監視撮影されていることを気づかれるおそれが少なくなる。
【００１４】
また、侵入者を検知する検知器としては、赤外線センサ又は音センサを用いることが好ましい。赤外線センサや音センサを用いると、監視する室内に全く明かりがなくても、侵入者を確実に検知できる。
【発明を実施するための最良の形態】
【００１５】
本発明の第１実施形態であるターミナル装置としてのクレードル装置と、撮影装置としてのデジタルカメラとの各外観を示す図１において、デジタルカメラ１０のカメラボディ１１の前面には、撮影レンズ１２が組み込まれたレンズ鏡筒１３、ファインダを構成する対物側ファインダ窓１４、被写体に向けてストロボ光を照射するストロボ発光部１５が設けられ、上部にはシャッタレリーズ操作に用いられるシャッタボタン１６が設けられている。
【００１６】
カメラボディ１１の一方の側面には、メモリカード１７が着脱自在にセットされるメモリカードスロット１８が設けられている。このメモリカードスロット１８は、塵芥の侵入等を防止するために、開閉式の保護カバー１９によって保護されている。なお、メモリカード１７としては、ｘＤ−ピクチャーカード（登録商標）を使用する。
【００１７】
クレードル装置２０のクレードル本体２１は、短矩形の台状に形成されており、上部にデジタルカメラ１０が装着される装着部２２が設けられている。装着部２２はカメラボディ１１の底面部１１ａの外周に合わせた凹形状に形成されており、この装着部２２に底面部１１ａの位置を合わせて置くことによって、デジタルカメラ１０が位置決めされて支持される。
【００１８】
装着部２２の内側には、接続端子２４とモード切替スイッチ２５とが設けられている。前記接続端子２４は、装着部２２にデジタルカメラ１０が装着されたとき、カメラボディ１１の底面部１１ａに設けられた接続コネクタ２６に嵌合して、デジタルカメラ１０とクレードル装置２０とを電気的に接続する。デジタルカメラ１０と電気的に接続されることによって、クレードル装置２０はデジタルカメラ１０を安定して保持する台として機能するとともに、充電や外部機器との接続を介在するターミナルとして機能する。
【００１９】
前記モード切替スイッチ２５は、クレードル装置２０を通常モード（ｎ）又は監視カメラモード（ｍ）のいずれか一方に切り替える。モード切替スイッチ２５は、装着部２２にデジタルカメラ１０が装着されたとき、デジタルカメラ１０のカメラボディ１１に隠れて見えなくなるから、監視カメラモードにセットしたことを侵入者から気づかれるおそれがない。
【００２０】
前記通常モードのクレードル装置２０は、デジタルカメラ１０の充電やパーソナルコンピュータ（ＰＣ）２７への画像データ転送等の既存の用途に使用される。また、監視カメラモードのクレードル装置２０は、接続端子２４を介して電気的に接続されたデジタルカメラ１０の電源を一旦オフにした後、クレードル本体２１の前面に設けられた赤外線センサ２８から侵入者の検知信号が出力された際にデジタルカメラ１０の電源をオンにし、この後、デジタルカメラ１０を監視カメラモードにセットする。
【００２１】
監視カメラモードにセットされたデジタルカメラ１０は、パンフォーカスになるように撮影レンズ１２を最も広角側にセットするとともにＳ／Ｎ比を無視してゲインを最高レベルに引き上げ、ストロボオフのまま３秒間隔で１０枚のプログラムオート撮影（インターバル撮影）を行う。また、電源ランプはもちろん液晶パネルの表示もオフにされる。
【００２２】
クレードル本体２１の側面には、ＡＣ電源アダプタ３０（図２参照）が接続されるＤＣ電源入力コネクタ３１，ＰＣ２７（図２参照）等が接続されるＵｎｉｖｅｒｓａｌ  Ｓｅｒｉａｌ  Ｂｕｓ（ＵＳＢ）コネクタ３２が設けられている。
【００２３】
なお、本実施形態では、侵入者から気づかれにくくするため、ＵＳＢコネクタ３２にＰＣ２７を接続していない。これを示すため、図２ではＰＣ２７を仮想線（二点鎖線）で囲ってある。また、クレードル装置２０には、電源ランプや液晶パネルは設けられておらず、動作中であることが侵入者から分からないようになっている。
【００２４】
デジタルカメラ１０及びクレードル装置２０の電気的構成を示す図２において、システムコントローラ４１は、デジタルカメラ１０の各種回路を全体的に管理し、制御する。入力部４２は、レリーズボタン１６及び各種操作部等からなり、これらの操作に応じた操作信号をシステムコントローラ４１に送信する。システムコントローラ４１は、これらの操作信号に基づいて、接続されたＲＯＭ４３に記憶されている各種のプログラムに従って、各種回路を制御して撮影のためのシーケンスを実行する。
【００２５】
前記ＲＯＭ４３に記憶されているプログラムには、前記インターバル撮影のシーケンスプログラムが含まれており、これが監視カメラモードでシステムコントローラ４１によって呼び出されて実行される。
【００２６】
撮影レンズ１２の背後には、ＣＣＤ４５が配置されており、撮影レンズ１２のピント合わせによりＣＣＤ４５の光電面に被写体画像が結像される。ＣＣＤ４５は光学的な被写体画像を電気的な撮影信号に変換してゲイン切替アンプ４７に出力する。このゲイン切替アンプ４７は撮影信号を適当なレベルに増幅した後、Ａ／Ｄコンバータ４８に入力する。なお、ゲイン切替アンプ４７の増幅率は、通常モードでは、ノイズが少ない画質優先で比較的低倍率であるが、監視カメラモードでは、画質よりも感度優先の高倍率に切り替えられる。
【００２７】
Ａ／Ｄコンバータ４８は撮影信号をデジタル変換して画像データを生成し、これを順次に画像処理ＬＳＩ５０に入力する。画像処理ＬＳＩ５０は、入力されてくる画像データに対してマトリクス演算、ホワイトバランス調節、ガンマ補正などの信号処理を行う。
【００２８】
画像処理ＬＳＩ５０で処理された画像データは、システムコントローラ４１に一旦入力された後、メモリＩ／Ｆ５１を介してメモリカード１７に記憶される。また、システムコントローラ４１には、ＰＣ２７とのデータ通信を行うＰＣ用通信回路５２、二次電池であるバッテリ５３への充電を制御する電源制御回路５４が接続されている。
【００２９】
ＰＣ用通信回路５２及び電源制御回路５４は、底面部１１ａに設けられた接続コネクタ２６に接続されている。この接続コネクタ２６と、クレードル装置２０の接続端子２４との接続によって、ＰＣ用通信回路５２とＵＳＢコネクタ３２とが、また電源制御回路５４とクレードル装置２０の充電回路５７とが、それぞれ電気的に接続される。
【００３０】
充電回路５７は、ＤＣ電源入力コネクタ３１と、接続端子２４とに接続されている。ＤＣ電源入力コネクタ３１には、ＡＣ電源アダプタ３０が接続されており、ＤＣ電源が充電回路５７へ供給される。クレードル装置２０にデジタルカメラ１０が装着されると、充電回路５７が接続端子２４及び接続コネクタ２６を介して電源制御回路５４に電気的に接続される。電源制御回路５４は、クレードル装置２０にデジタルカメラ１０が装着されているときには、充電回路５７から供給される電力によってバッテリ５３を充電する。
【００３１】
次に、上記第１実施形態の作用について説明する。まず、クレードル装置２０のＤＣ電源入力コネクタ３１にＡＣ電源アダプタ３０を接続し、ＡＣ電源アダプタ３０のプラグを監視したい部屋内のＡＣ１００ＶなどのＡＣコンセントに挿入しておく。そして、モード切替スイッチ２５を通常モード（ｎ）又は監視カメラモード（ｍ）のいずれかにセットする。ここでは、監視カメラモードにセットする。なお、通常モードでの作用は周知であるから、説明を省略する。
【００３２】
この後、メモリカード１７を装着したデジタルカメラ１０をクレードル装置２０の装着部２２に装着すると、デジタルカメラ１０の接続コネクタ２６がクレードル装置２０の接続端子２４に接続される。そして、モード切替スイッチ２５は、デジタルカメラ１０のカメラボディ１１に隠れて見えなくなり、侵入者が見ることができない。
【００３３】
モード切替スイッチ２５を監視カメラモードにセットした状態でデジタルカメラ１０がクレードル装置２０と電気的に接続されると、デジタルカメラ１０の電源がたとえオンになっていても、デジタルカメラ１０の電源は一旦自動的にオフにされる。そして、ＡＣ電源アダプタ３０からＤＣ電源入力コネクタ３１を介して入力されたＤＣ電源により充電回路５７が作動し、接続端子２４及び接続コネクタ２６を介して電源制御回路５４がバッテリ５３の充電を開始する。
【００３４】
侵入者が赤外線センサ２８の検知領域内に入ると、赤外線センサ２８からの検知信号により、デジタルカメラ１０の電源がオンにされる。この時、デジタルカメラ１０が電源オンの状態になっていることを知られないように、電源ランプは点灯されず、また液晶パネルもオフのままである。また、ストロボはオフにされ、発光されることはない。
【００３５】
デジタルカメラ１０は、モード切替スイッチ２５からの信号により、監視カメラモードにセットされ、インターバル撮影を開始する。このインターバル撮影では、撮影レンズ１２が広角にセットされ、暗い場所でもストロボなしで撮影されるように、ゲイン切替アンプ４７のゲインがＳ／Ｎ比を無視して最高レベルに引き上げられる。
【００３６】
ＣＣＤ４５から出力された撮影信号はゲイン切替アンプ４７，Ａ／Ｄコンバータ４８を経て画像処理ＬＳＩ５０に入力される。画像処理ＬＳＩ５０で所定の信号処理が施された画像データは、メモリカード１７に記憶される。この画像データは、３秒間隔で１０コマが連続撮影され、メモリカード１７に記憶される。なお、侵入者が赤外線センサ２８の検知領域から外れると、インターバル撮影が停止された後、デジタルカメラ１０の電源がオフにされる。
【００３７】
なお、画像データはメモリカード１７のメモリ容量一杯まで記憶されるが、メモリカード１７のメモリ容量は、例えば５１２ＭＢ程度なので、足りなくなる可能性もある。大量の画像データを記憶させたい場合には、ＵＳＢケーブル５９を用いてＵＳＢコネクタ３２に外付けハードディスク（ＨＤＤ）を接続して、これに記憶させてもよく、またＰＣ２７を接続して、ＰＣ２７のＨＤＤに記憶させてもよい。ただし、ＰＣは目立ちやすいので、外付けＨＤＤの方が好ましい。また、外付けＨＤＤは、動作中であることが分からないように電源ランプが点灯しないものが好ましい。
【００３８】
また、クレードル装置２０にＡＣ電源アダプタ３０を接続してバッテリ５３を常に充電するようにしたが、監視時間中のデジタルカメラ１０の動作に支障がないように、予めバッテリ５３が十分に充電されていれば、必ずしもＡＣ電源アダプタ３０を接続しておく必要はない。
【００３９】
次に、本発明の第２実施形態を示す図３において、第２実施形態のターミナル装置はクレードル型ではなく、充電アダプタ型である。なお、上述した第１実施形態と同じ部材には同じ符号を付して説明を省略する。デジタルカメラ６０は、第１実施形態のデジタルカメラ１０からＰＣ用通信回路５２と接続コネクタ２６とを省略し、本発明の第２実施形態である充電アダプタ６２との接続は、画像データと充電用電流とをそれぞれ通すマルチコネクタ６４で接続してある。
【００４０】
充電アダプタ６２の筐体は、ありふれた形状のボックスタイプをしており、一見して特殊仕様のものと覚られないようにしてある。充電アダプタ６２は、本体部の前面に赤外線センサ２８を備えるとともに、背面にモード切替スイッチ２５とＡＣプラグ６６とを備える一方、侵入者から動作中であることを気づかれないように電源ランプは省略されている。
【００４１】
ＡＣプラグ６６の一対の端子６６ａ，６６ｂをＡＣ１００ＶなどのＡＣコンセントや電気スタンドのサービスコンセントやテーブルタップ等に差し込むと、電源回路６８が帯域カットフィルタ６９を介してＡＣライン（交流電源線）７０に接続される。帯域カットフィルタ６９は、映像信号の周波数帯域のインピーダンスが十分に高く、電源周波数である５０／６０Ｈｚのインピーダンスが十分に低い回路であり、ＡＣライン７０に重畳された映像信号をカットして、電源回路６８に悪影響を及ぼさないようにする。
【００４２】
電源回路６８は、ＡＣライン７０から取り入れた交流を所定電圧の直流に変換して充電回路７２に送る。充電回路７２はマルチコネクタ６４及び電源制御回路５４を介してバッテリ５３を充電する。
【００４３】
システムコントローラ４１は、画像処理ＬＳＩ５０から入力された画像データをマルチコネクタ６４及びインターフェース回路７５を介して変復調回路７６に送る。この変復調回路７６は、画像データを一定の周波数でパルス変調してＤＣ−ＡＣ変換を行い、映像信号としてＡＣ通信回路７７に入力する。ＡＣ通信回路７７は、重畳する映像信号の周波数帯域のインピーダンスが十分に低く、他の帯域のインピーダンスが十分に高い回路であり、映像信号をＡＣプラグ６６を介してＡＣライン７０に重畳して送信する。
【００４４】
一方、デジタルカメラ６０及び充電アダプタ６２をセットした部屋とは別の部屋に設けられたＡＣコンセント８０には、ＡＣプラグ８１を介してアダプタ８２が接続されている。ＡＣプラグ８１には、帯域カットフィルタ８３を介して電源回路８４が接続されており、ＡＣプラグ８１の端子８１ａ，８１ｂをＡＣコンセント８０に差し込むと、アダプタ８２はオン状態になる。
【００４５】
ＡＣプラグ８１には、ＡＣ通信回路８５を介して変復調回路８６が接続され、この変復調回路８６にＵＳＢインターフェース回路８７が接続されている。このＵＳＢインターフェース回路８７を介してアダプタ８２がＰＣのＵＳＢインターフェース回路に接続される。
【００４６】
ＡＣライン７０に重畳された映像信号は、ＡＣ通信回路８５によって受信されてから分離され、変復調回路８６に送られる。変復調回路８６は映像信号を復調してデジタルの画像データに変換する。この画像データは、ＵＳＢインターフェース回路８７を介してＰＣに送られる。ＰＣでは、画像データをＨＤＤ等のストレージに記憶する。
【００４７】
次に、上記第２実施形態の作用について説明する。ユーザは、マルチコネクタ６４でデジタルカメラ６０を接続した充電アダプタ６２のＡＣプラグ６６を監視したい部屋内のＡＣコンセント６７に差し込む。そして、モード切替スイッチ２５を監視カメラモードにセットする。なお、ＡＣコンセント６７は、照明スタンドのサービスコンセント等の比較的高い位置にあるものが望ましい。
【００４８】
また、デジタルカメラ６０及び充電アダプタ６２をセットした部屋とは別の部屋に、画像データを記憶するためのＰＣを用意しておく。そして、このＰＣにアダプタ８２をＵＳＢ接続し、アダプタ８２のＡＣプラグ８１の端子８１ａ，８１ｂをＡＣコンセント８０に差し込んでおく。
【００４９】
充電アダプタ６２のＡＣプラグ６６をＡＣコンセント６７に差し込むと、帯域カットフィルタ６９を介して電源回路６８に交流が流れ、電源回路６８が所定電圧の直流に変換して充電アダプタ６２内の各部と充電回路７２とに送る。これによって、赤外線センサ２８が所定の検知領域で部屋内の温度変化を検知し始めるとともに、バッテリ５３の充電が開始される。
【００５０】
侵入者が赤外線センサ２８の検知領域内に入ると、赤外線センサ２８からの検知信号がインターフェース回路７５及びマルチコネクタ６４を介してシステムコントローラ４１に入力される。これにより、電源がオンにされた後、デジタルカメラ６０は監視カメラモードにセットされ、直ちにシステムコントローラ４１はＣＣＤ４５を駆動して３秒間隔で１０コマのインターバル撮影を開始する。
【００５１】
ＣＣＤ４５から出力された撮影信号はゲイン切替アンプ４７，Ａ／Ｄコンバータ４８を経て画像処理ＬＳＩ５０に入力される。画像処理ＬＳＩ５０で所定の信号処理が施された画像データは、システムコントローラ４１によってマルチコネクタ６４及びインターフェース回路７５を介して変復調回路７６に送られる。画像データは、変復調回路７６によって変調され映像信号に変換されてから、ＡＣ通信回路７７に入力される。映像信号は、ＡＣ通信回路７７により、ＡＣプラグ６６及びＡＣコンセント６７を介してＡＣライン７０に重畳して送信される。
【００５２】
ＡＣライン７０に重畳して送信された映像信号は、ＡＣコンセント８０及びＡＣプラグ８１を介してＡＣ通信回路８５で受信され、ＡＣライン７０に重畳された各種信号（ノイズ）からデジタルカメラ６０からの映像信号のみが分離される。この後、変復調回路８６にて、映像信号がデジタルの画像データに変換される。この画像データは、ＵＳＢインターフェース回路８７を介してＰＣに送られ、ＨＤＤに記憶される。侵入者が赤外線センサ２８の検知領域から外れて例えば１秒経過すると、インターバル撮影は停止される。
【００５３】
なお、画像データがＰＣのＨＤＤに記憶される際には、これと同時に、ＰＣに接続されたモニタに画像をリアルタイムに表示するようにしてもよい。本実施形態では、撮影間隔と同じ３秒間隔でモニタに表示された画像が新しい画像に切り替えられる。また、ＰＣの設定により予め決めてある所定のメールアドレスにインターネットを経由して画像を転送するようにしてもよい。前記メールアドレスは、ユーザの携帯電話や勤務先のＰＣ等のメールアドレスが好ましい。これにより、ユーザは即座に異常を知ることができる。また、予め契約してあるセキュリティサービス会社に画像を転送するようにしてもよい。
【００５４】
また、充電アダプタ６２とアダプタ８２を接続した各ＡＣコンセント６７，８０を挟むように一対の帯域カットフィルタをＡＣライン７０に設け、通信範囲を限定するようにしてもよい。このようにすると、帯域カットフィルタの外側へはデータが送出されないから、誤動作が防止されるとともにセキュリティが向上する。
【００５５】
以上説明した実施形態では、侵入者を検知する検知器として、赤外線センサを用いたが、本発明はこれに限定されることなく、例えば音センサでもよい。また、一定時間間隔で静止画の撮影（インターバル撮影）を行ったが、静止画ではなく、動画像を撮影するようにしてもよい。
【００５６】
また、上記デジタルカメラ、クレードル装置，充電アダプタを防水防塵構造とすれば、例えば野外の駐車場に設置して自動車やオートバイの盗難防止用に利用できる。また、上記実施形態では、撮像素子としてＣＣＤを用いたが、本発明はこれに限定されることなく、ＣＭＯＳイメージセンサでもよい。
【００５７】
また、上記インターバル撮影として、３秒間隔で１０枚の撮影を行うようにしたが、本発明はこれに限定されることなく、例えば、多くのデジタルカメラが備えている０．２秒間隔で４コマを連続撮影する連写機能や、画像サイズをフルサイズよりも小さくして０．６秒間隔で４０コマを連続撮影する連写機能をそのまま利用してもよい。
【００５８】
また、上記実施形態では、デジタルカメラを監視カメラモードにセットしてインターバル撮影を行わせたが、監視カメラモードを備えていないデジタルカメラを用いる場合には、クレードル装置に、例えば３秒間隔で１０回のレリーズ信号を発生してデジタルカメラに送るレリーズ信号発生回路を設ければよい。
【００５９】
また、上記実施形態では、撮影装置としてデジタルカメラを用いたが、本発明はこれに限定されることなく、カメラ付き携帯電話やカメラ付きＰＤＡでもよい。また、画像データを記録する外部のストレージとしては、ＰＣのＨＤＤに限らず、例えばビデオデッキのビデオテープや、ＨＤＤ内蔵型のＤＶＤレコーダのＨＤＤやＤＶＤを用いてもよい。
【図面の簡単な説明】
【００６０】
【図１】第１実施形態のクレードル装置の外観を示す斜視図である。
【図２】クレードル装置の電気的な構成を示すブロック図である。
【図３】第２実施形態の充電アダプタの電気的な構成を示すブロック図である。
【符号の説明】
【００６１】
１０，６０  デジタルカメラ
１７  メモリカード
２０  クレードル装置
２５  モード切替スイッチ
２８  赤外線センサ
６２  充電アダプタ
８２  アダプタ
【図１】
2005328189.tif 000003
【図２】
2005328189.tif 000004
【図３】
2005328189.tif 000005